(57)【要約】【課題】シャッター閉鎖時における座板の端縁とシャッターガイド側に設けたガスケットとの隙間を０としても昇降時における摺動抵抗の発生がない構造とした。【解決手段】シャッター装置１４は、シャッターガイド１６の床１０との接続部内側に、軟質ゴムまたは軟質樹脂からなるガスケットブロック２８が配置され、該ガスケットブロック２８は外方に向けて上昇するように傾斜する傾斜面２８ａが形成され、その傾斜面２８ａをシャッターガイド１６から突出させる一方で、座板２２及びシャッター２０の側縁は、ガスケットブロック２８の傾斜角度に応じた傾斜角度の切欠部２２ａ，２０ａが形成され、シャッター２０の閉鎖状態では傾斜２８ａ面に切欠部２２ａ，２０ａが密接する。【選択図】      図４
2004250905.tif 000002
【特許請求の範囲】
【請求項１】
天井と床との間を昇降したり、引戸式にスライドすることによって、建物の開口を開閉することができるシャッターを備えたシャッター装置であって、
前記建物の開口部には、前記シャッターの閉鎖側縁部と突き合わされる縁部に軟質ゴムまたは軟質樹脂からなるガスケットブロックが配置され、該ガスケットブロックは、前記開口部の外側に向けて漸次上昇するように傾斜する傾斜面を有する一方、前記シャッターの閉鎖側縁部には前記傾斜面の傾斜角度に応じた傾斜角度の切欠部を形成したことを特徴とするシャッター装置。
【請求項２】
両側壁に配置され、かつ天井部に形成された開口を縦通しその上部を天井内に到達させたシャッターガイドと、天井内に配置された巻取り装置に巻取り繰出し可能に連結され、その両側縁をシャッターガイドに沿って昇降可能に配置されたシャッターと、シャッターの下部に連結した座板とから構成され、閉鎖状態では前記座板が床面に設置された状態でシャッターにより床、天井部部及び両側壁で囲われた空間を区画するシャッター装置において、
前記シャッターガイドの床との接続部内側に、軟質ゴムまたは軟質樹脂からなるガスケットブロックが配置され、該ガスケットブロックは外方に向けて傾斜する傾斜面が形成され、その傾斜面をシャッターガイドの先端に突出させる一方で、座板及びシャッターの側縁は、ガスケットブロックの傾斜角度に応じた傾斜角度の切欠部が形成され、シャッター閉鎖状態ではガスケットブロックの傾斜面に前記切欠部が密接することを特徴とするシャッター装置。
【発明の詳細な説明】
【０００１】
【発明の属する技術分野】
本発明は、天井と床との間を昇降したり、引戸式にスライドすることによって、建物の開口を開閉することができるシャッター装置に関する。
【０００２】
【従来の技術】
この種のシャッター装置のうち、天井と床との間を昇降することにより建物の開口を開閉することができる防火シャッターにおいては、それが閉じられた状態で、シャッター下部に設けた座板が床に戸当りし、両側部はシャッターガイドに位置した状態でその前後空間を隔離するように設計されている。
【０００３】
ところが、実際には、シャッターガイドとシャッターとの間、並びに、天井部におけるシャッター格納部空間とシャッターとの間には僅かな隙間が形成され、この隙間を通じて音が漏れたり、清浄空気や冷気が漏れるほか、虫などが侵入する虞れがある。
【０００４】
そこで、例えば図５に示されるような対策を施すことが考えられる。同図は、床面部におけるシール構造の対策例を示すものであり、１はシャッター、２はシャッター１の下部に一体化された座板、３はシャッター１の両側縁を昇降ガイドするためのシャッターガイドである。
【０００５】
座板１の下面には気密を保つためのガスケット４が配置され、またシャッターガイド３の底面部にはシャッター閉鎖状態でシャッター１の下縁に戸当りするガスケット５が接着などによって固定されており、床６に戸当りした状態で、ガスケット４が床６に密接してこの部分の隙間を完全に閉塞し、またシャッター１の下縁はシャッターガイド３内においてガスケットブロック５に密接することにより、これら部分は気密に閉塞されることになる。
【０００６】
【発明が解決しようとする課題】
しかしながら、この構造においては、座板２及びこれに取付けたガスケット４とシャッターガイド３側に設けたガスケットブロック５との間に僅かに隙間ｄが生ずることはさけられなかった。
【０００７】
この隙間ｄは理論的には０とすることができるものの、昇降時の摺動抵抗の増加要因となり、昇降時における各部のガタを見込んで最小量の隙間ｄを設定せざるを得ず、結局は、遮音性、気密性等を確実に確保することができないという課題があった。
【０００８】
本発明は、以上の課題を解決するためになされたものであり、その目的は、シャッター閉鎖時における座板の端縁とシャッターガイド側に設けたガスケットとの隙間を０としても昇降時における摺動抵抗の発生がないシャッター装置を提供するものである。
【０００９】
【課題を解決するための手段】
前記目的を達成するため、本発明は、天井と床との間を昇降したり、引戸式にスライドすることによって、建物の開口を開閉することができるシャッターを備えたシャッター装置であって、前記建物の開口部には、前記シャッターの閉鎖側縁部と突き合わされる縁部に軟質ゴムまたは軟質樹脂からなるガスケットブロックが配置され、該ガスケットブロックは、前記開口部の外側に向けて漸次上昇するように傾斜する傾斜面を有する一方、前記シャッターの閉鎖側縁部には前記傾斜面の傾斜角度に応じた傾斜角度の切欠部を形成したことを特徴とするものである。
【００１０】
また、本発明は、両側壁に配置され、かつ天井部に形成された開口を縦通しその上部を天井内に到達させたシャッターガイドと、天井内に配置された巻取り装置に巻取り繰出し可能に連結され、その両側縁をシャッターガイドに沿って昇降可能に配置されたシャッターと、シャッターの下部に連結した座板とから構成され、閉鎖状態では前記座板が床面に設置された状態でシャッターにより床、天井部部及び両側壁で囲われた空間を区画するシャッター装置において、前記シャッターガイドの床との接続部内側に、軟質ゴムまたは軟質樹脂からなるガスケットブロックが配置され、該ガスケットブロックは外方に向けて傾斜する傾斜面が形成され、その傾斜面をシャッターガイドの先端に突出させる一方で、座板及びシャッターの側縁は、ガスケットブロックの傾斜角度に応じた傾斜角度の切欠部が一直線に形成され、シャッター閉鎖状態ではガスケットブロックの傾斜面に前記切欠部が密接することを特徴とするものである。
【００１１】
従って、本発明にあっては、シャッター閉鎖時においては完全密閉性を得られ、また開放時には傾斜面が離間するため、摺動抵抗とはならず、開閉操作性の低下がない。
【００１２】
【発明の実施の形態】
以下、本発明の好ましい実施の形態につき、添付図面を参照して詳細に説明する。図１は本発明に係るシャッター装置を設けた建物を示し、１０は床、１２は天井部であり、これら床１０，天井部１２及び両側壁で囲われた開口をシャッター装置１４により空間Ａと空間Ｂとに開閉可能に区画するものである。
【００１３】
シャッター装置１４は、両側壁に配置され、かつ天井部１２に形成された開口１２ａを縦通しその上部を天井内に到達させたシャッターガイド１６と、天井内に配置された巻取り装置１８に巻取り繰出し可能に連結され、その両側縁をシャッターガイド１６に沿って昇降可能に配置されたシャッター２０と、シャッター２０の下部に連結した座板２２とから構成され、閉鎖状態では、座板２２が床面におり、シャッター２０により空間Ａ，Ｂを区画し、また開放状態では、想像線に示すごとく座板２２までが天井部１２の開口１２ａ内に引込まれる、
そして、開口１２ａの内壁面であって、空間Ｂ側には前記シャッター２０及び座板２２の側面に摺接される軟質ゴムまたは軟質樹脂などの異形押出し成形体からなる中実のシールリップ２４の基部が固定され、その先端をシャッター２０及び座板２２の側面に接し、開口１２ａを気密に閉塞している。このシールリップ２４はシャッター昇降時にその弾性により先端が移動方向に変形しつつ摺接し、移動時の抵抗にならずに常時シャッター２０及び座板２２に対する密接状態を保っている。
【００１４】
同じく図２に示すように、前記シャッターガイド１６のシャッター挿通溝１６ａには縦方向にシールリップ２５が固定され、この部分の気密性を保持している。なお、各図では、空間Ｂ側にのみシールリップ２４，２５を設けているが、空間Ａ側のみ又は双方に設けることができる。
【００１５】
また、座板２２の下面には軟質ゴムまたは軟質樹脂などの異形押出し成形体からなる内部中空のガスケット２６が配置され、座板２２の着座時において適宜弾性変形して、床１０との間の気密性を保持できるようにしている。
【００１６】
さらに、前記シャッターガイド１６の床面側と座板２２及びシャッター２０との取合い位置においては、図２及び図３，４に示す構造が採用されている。図において、シャッターガイド１６の床１０との接続部内側（シャッター２０の閉鎖縁部）には、軟質ゴムまたは軟質樹脂からなるガスケットブロック２８が配置されている。このガスケットブロック２８は外方に向けて上昇するように傾斜する傾斜面２８ａが形成され、その傾斜面２８ａをシャッターガイド１６から突出し、床面に接着剤などを介して固定されている。本例では、ガスケットブロック２８は、シャッターガイド１６内にて水平部２８ｂを有し、断面台形状となっているが、傾斜面２８ａをそのまま直線状に延長して断面三角形状となっていてもよい。また、ガスケットブロック２８の傾斜面２８ａは、図４では直線状となっているが、曲線状となっていてもよい（断面三角形状とする場合も同様）。なお、シャッター挿通溝１６ａ内のシールリップ２５はその下端部がガスケットブロック２８に当接し、シャッター挿通溝１６ａの下端部における気密性が保持されていることは言うまでもない。
【００１７】
これに対し、前記ガスケット２６、座板２２及びシャッター２０の側縁は、ガスケットブロック２８の傾斜角度に応じた傾斜角度θの切欠部２６ａ，２２ａ，２０ａ、及びガスケットブロック２８の水平部２８ｂに対応する水平部２０ｂが形成されている（ガスケットブロック２８を断面三角形状とした場合は切欠部２６ａ，２２ａ，２０ａのみ）。
【００１８】
従って、図２及び図４（ａ）に示すシャッター閉鎖状態ではガスケットブロック２８の傾斜面２８ａ及び水平部２８ｂに切欠部２６ａ，２２ａ，２０ａ，２０ｂが密接する結果、これらの間の隙間が０となり、またこの状態から図４（ｂ）に示すようにシャッター２０が上昇すると、ガスケットブロック２８との密接状態から離間するため、摺動抵抗などを生ずることなく、上昇動作を行えることになるのである。
【００１９】
なお、以上における傾斜角度θは、シャッター２０の円滑な昇降動作を阻害せず、また、切欠部の長さ及びシャッター上昇時における離間距離を勘案すると、３０〜４５°程度に設定することが望ましい。
【００２０】
また、上記実施の形態では、昇降式のシャッターについて説明したが、本発明は、引戸式にスライドすることによって建物の開口を開閉するシャッターにも適用することができる。この場合、例えば図４を時計回り方向に９０゜傾けた形態とすればよい。
【００２１】
【発明の効果】
以上の説明により明らかなように、本発明によるシャッター装置によれば、シャッター閉鎖時における座板の端縁とシャッターガイド側に設けたガスケットとの隙間を０としても昇降時における摺動抵抗の発生がなく、確実な遮音性、気密性及び防虫効果を得ることができる。
【図面の簡単な説明】
【図１】本発明に係るシャッター装置及びこれと建物各部との関係を示す側断面図である。
【図２】シャッターガイドとシャッター及び座板との関係を示す部分斜視図である。
【図３】同要部を示す平断面図である。
【図４】（ａ），（ｂ）は図３のＡ−Ａ線断面における下降時と上昇時を示す側断面図である。
【図５】（ａ），（ｂ）は従来のシャッターガイドとシャッター及び座板との関係を示す部分平面図及び側断面図である。
【符号の説明】
１０  床
１２  天井部
１４  シャッター装置
１６  シャッターガイド
１８  巻取り装置
２０  シャッター
２２  座板
２８  ガスケットブロック
【図１】
2004250905.tif 000003
【図２】
2004250905.tif 000004
【図３】
2004250905.tif 000005
【図４】
2004250905.tif 000006
【図５】
2004250905.tif 000007